(57)【要約】  同軸ケーブルと単線ケーブルとを接続する際に、単線ケーブルの芯線の断線や、接続箇所からの剥離を防止するケーブル接続構造、撮像モジュールおよび内視鏡を提供する。本発明におけるケーブル実装構造体は、芯線と、絶縁体と、を有する単線ケーブルは、芯線が回路基板の第１の芯線接続電極に接続され、芯線と、内部絶縁体と、シールドと、外部絶縁体と、を有する２本の同軸ケーブルは、回路基板４２の第２の芯線接続電極およびシールド接続電極に、芯線およびシールド線がそれぞれ接続され、単線ケーブルは、２本の同軸ケーブルの間に配置されるとともに、同軸ケーブルの露出したシールドは導電部材により接続され、導電部材は、絶縁体で被覆された単線ケーブル上、かつ、シールド接続電極上および／またはシールド接続電極上より基端側でシールドを接続することを特徴とする。
2017081720.tif 000002
【特許請求の範囲】
【請求項１】
少なくとも１本の単線ケーブルと、少なくとも２本の同軸ケーブルとが、基板に設けられた電極にそれぞれ接続されたケーブル接続構造であって、
前記単線ケーブルは、導電性材料からなる芯線と、前記芯線の外周を被覆する絶縁体と、を有し、先端部で前記芯線が露出して、前記基板の第１の芯線接続電極に接続されてなり、
前記同軸ケーブルは、導電性材料からなる芯線と、前記芯線の外周を被覆する内部絶縁体と、前記内部絶縁体の外周を被覆する導電性材料からなるシールドと、前記シールドの外周を被覆する外部絶縁体と、を有し、先端部で前記芯線、前記内部絶縁体、および前記シールドが段階的に露出して、前記基板の第２の芯線接続電極およびシールド接続電極に、前記芯線および前記シールドがそれぞれ接続されてなり、
前記単線ケーブルは、前記２本の同軸ケーブルの間に位置するように配置されるとともに、前記２本の同軸ケーブルの露出したシールドは導電部材により接続されてなり、
前記導電部材は、前記絶縁体で被覆された前記単線ケーブル上、かつ、前記シールド接続電極上および／または前記シールド接続電極上より基端側で前記シールドを接続することを特徴とするケーブル接続構造。
【請求項２】
前記基板は、前記単線ケーブルおよび前記同軸ケーブルが接続される側の基板面に段差部を有し、前記段差部に前記シールド接続電極が形成されるとともに、前記段差部の上部近傍の基板面に、前記第１の芯線接続電極および前記第２の芯線接続電極が形成されていることを特徴とする請求項１に記載のケーブル接続構造。
【請求項３】
前記導電部材は、前記シールドと前記シールド接続電極との接続に使用するハンダであることを特徴とする請求項１または２に記載のケーブル接続構造。
【請求項４】
前記導電部材は、前記シールドと前記シールド接続電極との接続に使用するハンダおよび板状の金属部材であることを特徴とする請求項１または２に記載のケーブル接続構造。
【請求項５】
前記導電部材は、前記絶縁体で被覆された前記単線ケーブル上、かつ、前記シールド接続電極上で、前記２本の同軸ケーブルのシールドを接続し、前記シールド接続電極が形成される段差部上での前記同軸ケーブルの芯線および前記単線ケーブルの芯線の前記基板上からの高さが略同一であることを特徴とする請求項２に記載のケーブル接続構造。
【請求項６】
請求項１〜５のいずれか一つに記載のケーブル接続構造と、
前記ケーブル接続構造の基板に形成された外部電極に接続され、外部から入射した光を電気信号に変換する撮像素子と、
光を集光し、集光した光を前記撮像素子に入射する光学系と、
を備えたことを特徴とする撮像モジュール。
【請求項７】
請求項６に記載の撮像モジュールと、
硬質部材によって形成された筒状をなす先端部を有し、被検体内に挿入可能な挿入部と、
を備えることを特徴とする内視鏡。
【発明の詳細な説明】
【技術分野】
【０００１】
本発明は、ケーブル接続構造、撮像モジュールおよび内視鏡に関する。
【背景技術】
【０００２】
従来から、医療分野および工業分野において、各種検査のために内視鏡が広く用いられている。このうち、医療用の内視鏡は、患者等の被検体内に先端に固体撮像素子が設けられた細長形状をなす可撓性の挿入部を挿入することによって、被検体を切開せずとも被検体内の体内画像を取得でき、さらに、必要に応じて挿入部先端から処置具を突出させて治療処置を行うことができるため、広く用いられている。【０００３】
このような内視鏡の挿入部の先端部には、固体撮像素子や、同軸ケーブルが接続された回路基板を備えた撮像モジュールが内蔵され、先端部の基端側には複数方向に湾曲自在な湾曲部が連接されている。湾曲部は、被検体内で四方に湾曲するため、挿入部の内容物にも、湾曲部の曲げに応じて径方向への応力が加わる。この応力によるケーブルの断線やハンダ付け箇所の剥離等を防止するために、同軸ケーブルの芯線とシールドとを基板に接続する際、応力の負荷により剥離しやすい芯線をシールドより撓ませた状態で基板に接続した撮像装置が提案されている（例えば、特許文献１参照）。
【先行技術文献】
【特許文献】
【０００４】
【特許文献１】特開２０１０−６８９３０号公報
【発明の概要】
【発明が解決しようとする課題】
【０００５】
しかしながら、特許文献１では、芯線をシールドよりも撓ませた状態で基板に接続することにより、芯線の断線や芯線のハンダ付け箇所からの剥離を防止できるものの、同軸ケーブルと単線ケーブルとを基板に接続する際の単線ケーブルの芯線の剥離防止については何ら考慮されていない。【０００６】
本発明は、上記に鑑みてなされたものであって、同軸ケーブルと単線ケーブルとを接続する際に、単線ケーブルの芯線の断線や、接続箇所からの剥離を防止することができるケーブル接続構造、撮像モジュールおよび内視鏡を提供することを目的とする。
【課題を解決するための手段】
【０００７】
上述した課題を解決し、目的を達成するために、本発明にかかるケーブル接続構造は、少なくとも１本の単線ケーブルと、少なくとも２本の同軸ケーブルとが、基板に設けられた電極にそれぞれ接続されたケーブル接続構造であって、前記単線ケーブルは、導電性材料からなる芯線と、前記芯線の外周を被覆する絶縁体と、を有し、先端部で前記芯線が露出して、前記基板の第１の芯線接続電極に接続されてなり、前記同軸ケーブルは、導電性材料からなる芯線と、前記芯線の外周を被覆する内部絶縁体と、前記内部絶縁体の外周を被覆する導電性材料からなるシールドと、前記シールドの外周を被覆する外部絶縁体と、を有し、先端部で前記芯線、前記内部絶縁体、および前記シールドが段階的に露出して、前記基板の第２の芯線接続電極およびシールド接続電極に、前記芯線および前記シールドがそれぞれ接続されてなり、前記単線ケーブルは、前記２本の同軸ケーブルの間に位置するように配置されるとともに、前記２本の同軸ケーブルの露出したシールドは導電部材により接続されてなり、前記導電部材は、前記絶縁体で被覆された前記単線ケーブル上、かつ、前記シールド接続電極上および／または前記シールド接続電極上より基端側で前記シールドを接続することを特徴とする。【０００８】
また、本発明にかかるケーブル接続構造は、上記発明において、前記単線ケーブルおよび前記同軸ケーブルが接続される側の基板面に段差部を有し、前記段差部に前記シールド接続電極が形成されるとともに、前記段差部の上部近傍の基板面に、前記第１の芯線接続電極および前記第２の芯線接続電極が形成されていることを特徴とする。【０００９】
また、本発明にかかるケーブル接続構造は、上記発明において、前記導電部材は、前記シールドと前記シールド接続電極との接続に使用するハンダであることを特徴とする。【００１０】
また、本発明にかかるケーブル接続構造は、上記発明において、前記導電部材は、前記シールドと前記シールド接続電極との接続に使用するハンダおよび板状の金属部材であることを特徴とする。【００１１】
また、本発明にかかるケーブル接続構造は、上記発明において、前記導電部材は、前記絶縁体で被覆された前記単線ケーブル上、かつ、前記シールド接続電極上で、前記２本の同軸ケーブルのシールドを接続し、前記シールド接続電極が形成される段差部上での前記同軸ケーブルの芯線および前記単線ケーブルの芯線の前記基板上からの高さが略同一であることを特徴とする。【００１２】
また、本発明に係る撮像モジュールは、上記のいずれか一つに記載のケーブル接続構造と、前記ケーブル接続構造の基板に形成された外部電極に接続され、外部から入射した光を電気信号に変換する撮像素子と、光を集光し、集光した光を前記撮像素子に入射する光学系と、を備えたことを特徴とする。【００１３】
また、本発明にかかる内視鏡は、上記に記載の撮像モジュールと、硬質部材によって形成された筒状をなす先端部を有し、被検体内に挿入可能な挿入部と、を備えることを特徴とする。
【発明の効果】
【００１４】
本発明は、２本の同軸ケーブルのシールドを、絶縁体で被覆された単線ケーブル上、かつ、シールド接続電極上および／またはシールド接続電極上より基端側で導電部材により接続することにより、基板から離間するような方向に応力が加わった際、導電部材によるシールドの接続により、単線ケーブルの芯線への応力の伝達が抑制でき、芯線の断線や、接続箇所からの剥離を防止することができる。
【図面の簡単な説明】
【００１５】
【図１】図１は、本発明の実施の形態１にかかる内視鏡システムの全体構成を模式的に示す図である。
【図２】図２は、図１に示す内視鏡先端の部分断面図である。
【図３】図３は、図２に示す撮像モジュールの斜視図である。
【図４】図４は、図３に示す撮像モジュールの上面図である。
【図５】図５は、図３に示す撮像モジュールの側面図である。
【図６】図６は、図３に示す撮像モジュールの一部拡大斜視図である。
【図７】図７は、図４に示す撮像モジュールのＡ−Ａ線断面図である。
【図８】図８は、ケーブル接続工程を説明するフローチャートである。
【図９】図９は、本発明の実施の形態１の変形例１にかかる撮像モジュールの断面図である。
【図１０】図１０は、本発明の実施の形態１の変形例２にかかる撮像モジュールの断面図である。
【図１１】図１１は、本発明の実施の形態１の変形例３にかかる撮像モジュールの断面図である。
【図１２】図１２は、本発明の実施の形態１の変形例４にかかる撮像モジュールの断面図である。
【図１３】図１３は、本発明の実施の形態１の変形例５にかかる撮像モジュールの断面図である。
【図１４】図１４は、本発明の実施の形態１の変形例６にかかる撮像モジュールの断面図である。
【図１５】図１５は、本発明の実施の形態１の変形例７にかかる撮像モジュールの断面図である。
【図１６】図１６は、本発明の実施の形態２にかかる撮像モジュールの斜視図である。
【図１７】図１７は、本発明の実施の形態２にかかる撮像モジュールの側面図である。
【図１８】図１８は、本発明の実施の形態２にかかる撮像モジュールの一部拡大斜視図である。
【図１９】図１９は、図１８に示す撮像モジュールのＢ−Ｂ線断面図である。
【発明を実施するための形態】
【００１６】
以下の説明では、本発明を実施するための形態（以下、「実施の形態」という）として、撮像モジュールを備えた内視鏡システムについて説明する。また、この実施の形態により、この発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００１７】
（実施の形態１）
図１は、本発明の実施の形態にかかる内視鏡システムの全体構成を模式的に示す図である。図１に示すように、内視鏡システム１は、内視鏡２と、ユニバーサルコード３と、コネクタ部５と、プロセッサ（制御装置）６と、表示装置７と、光源装置８とを備える。
【００１８】
内視鏡２は、挿入部３０を被検体内に挿入することによって、被検体の体内画像を撮像し撮像信号を出力する。ユニバーサルコード３内部の電気ケーブル束は、内視鏡２の挿入部３０まで延伸され、挿入部３０の先端部３Ａに設けられる撮像装置に接続する。
【００１９】
内視鏡２の挿入部３０の基端側には、内視鏡機能を操作する各種ボタン類やノブ類が設けられた操作部４が接続される。操作部４には、被検体の体腔内に生体鉗子、電気メスおよび検査プローブ等の処置具を挿入する処置具挿入口４ａが設けられる。
【００２０】
コネクタ部５は、ユニバーサルコード３の基端に設けられ、光源装置８およびプロセッサ６に接続され、ユニバーサルコード３と接続する先端部３Ａの撮像装置が出力する撮像信号に所定の信号処理を施すとともに、撮像信号をアナログデジタル変換（Ａ／Ｄ変換）して画像信号として出力する。
【００２１】
プロセッサ６は、コネクタ部５から出力される画像信号に所定の画像処理を施すとともに、内視鏡システム１全体を制御する。表示装置７は、プロセッサ６が処理を施した画像信号を表示する。
【００２２】
光源装置８が点灯するパルス状の白色光は、ユニバーサルコード３、コネクタ部５を経由して内視鏡２の挿入部３０の先端から被写体へ向けて照射する照明光となる。光源装置８は、例えば、白色ＬＥＤを用いて構成される。
【００２３】
挿入部３０は、撮像モジュールが設けられる先端部３Ａと、先端部３Ａの基端側に連設された複数方向に湾曲自在な湾曲部３Ｂと、この湾曲部３Ｂの基端側に連設された可撓管部３Ｃとによって構成される。先端部３Ａに設けられる撮像モジュールが撮像した画像の撮像信号は、例えば、数ｍの長さを有するユニバーサルコード３により、操作部４を介して、コネクタ部５に接続される。湾曲部３Ｂは、操作部４に設けられた湾曲操作用ノブの操作によって湾曲し、挿入部３０内部に挿通された湾曲ワイヤの牽引弛緩にともない、たとえば上下左右の４方向に湾曲自在となっている。
【００２４】
内視鏡２には、光源装置８からの照明光を伝送するライトガイドバンドル（不図示）が配設され、ライトガイドバンドルによる照明光の出射端に照明レンズ（不図示）が配置される。この照明レンズは、挿入部３０の先端部３Ａに設けられており、照明光が被検体に向けて照射される。
【００２５】
次に、内視鏡２の先端部３Ａの構成について詳細に説明する。図２は、内視鏡２先端の部分断面図である。図２は、内視鏡２の先端部３Ａに設けられた撮像モジュールの基板面に対して直交する面であって撮像モジュールの光軸方向と平行な面で切断した場合の断面図である。図２においては、内視鏡２の挿入部３０の先端部３Ａと、湾曲部３Ｂの一部を図示する。
【００２６】
図２に示すように、湾曲部３Ｂは、後述する被覆管３２内側に配置する湾曲管８１内部に挿通された湾曲ワイヤ８２の牽引弛緩にともない、上下左右の４方向に湾曲自在である。この湾曲部３Ｂの先端側に延設された先端部３Ａ内部に、撮像モジュール１００が設けられる。
【００２７】
撮像モジュール１００は、レンズユニット３５および撮像ユニット４０を有する撮像装置５０と、信号ケーブル４５と、を備える。撮像ユニット４０は、レンズユニット３５の基端側に配置され、接着剤３１ａで先端部本体３１の内側に接着されている。先端部本体３１は、撮像モジュール１００を収容する内部空間を形成するための硬質部材で形成される。先端部本体３１の基端外周部は、柔軟な被覆管３２によって被覆される。先端部本体３１よりも基端側の部材は、湾曲部３Ｂが湾曲可能なように、柔軟な部材で構成されている。先端部本体３１が配置される先端部３Ａが挿入部３０の硬質部分となる。
【００２８】
レンズユニット３５は、複数の対物レンズ３５ａ−１〜３５ａ−４と、対物レンズ３５ａ−１〜３５ａ−４を保持するレンズホルダ３５ｂとを有し、このレンズホルダ３５ｂの先端が、先端部本体３１内部に挿嵌固定されることによって、先端部本体３１に固定される。
【００２９】
撮像ユニット４０は、ＣＣＤまたはＣＭＯＳなどの光を受光して光電変換を行うことにより電気信号を生成する受光部を有する固体撮像素子４１、固体撮像素子４１の背面に接続された回路基板４２、固体撮像素子４１の受光面の裏面側から光軸方向に延出するフレキシブルプリント基板４３（以下「ＦＰＣ基板４３」という）、固体撮像素子４１の受光面を覆った状態で固体撮像素子４１に接着するガラスリッド４４、回路基板４２に接続される信号ケーブル４５を備える。撮像ユニット４０の回路基板４２には、固体撮像素子４１の駆動回路を構成する電子部品５５〜５７が実装されている。回路基板４２には、固体撮像素子４２の駆動回路を構成する電子部品以外の電子部品が実装されてもよい。
【００３０】
信号ケーブル４５の基端は、挿入部３０の基端方向に延伸する。信号ケーブル４５は、挿入部３０に挿通配置され、図１に示す操作部４およびユニバーサルコード３を介して、コネクタ部５まで延設されている。本実施の形態１では、信号ケーブル４５は、２本の同軸ケーブル４６−１、４６−２（図３参照）、および１本の単線ケーブル４７を有している。
【００３１】
レンズユニット３５の対物レンズ３５ａ−１〜３５ａ−４によって結像された被写体像は、対物レンズ３５ａ−１〜３５ａ−４の結像位置に配設された固体撮像素子４１によって検出されて、撮像信号に変換される。撮像信号は、ＦＰＣ基板４３および回路基板４２に接続する信号ケーブル４５およびコネクタ部５を経由して、プロセッサ６に出力される。
【００３２】
固体撮像素子４１は、ＦＰＣ基板４３および回路基板４２と接着される。固体撮像素子４１と、固体撮像素子４１およびＦＰＣ基板４３の接続部は、金属製の補強部材３７に覆われる。回路基板４２上の電子部品５５〜５７に対する外部静電気の影響を防止するため、補強部材３７は、固体撮像素子４１、ＦＰＣ基板４３および回路基板４２から離間して設置される。
【００３３】
撮像装置５０の周囲は、耐性向上のために、熱収縮チューブ３３によって外周が被覆される。熱収縮チューブ３３内部は、接着樹脂３４によって部品間の隙間が埋められている。
【００３４】
固体撮像素子ホルダ３６は、固体撮像素子ホルダ３６の基端側内周面にガラスリッド４４の外周面が嵌め込まれることによって、ガラスリッド４４に接着する固体撮像素子４１を保持する。固体撮像素子ホルダ３６の基端側外周面は、補強部材３７の先端側内周面に嵌合する。固体撮像素子ホルダ３６の先端側内周面には、レンズホルダ３５ｂの基端側外周面が嵌合する。このように各部材同士が嵌合した状態で、レンズホルダ３５ｂの外周面、固体撮像素子ホルダ３６の外周面、ならびに、熱収縮チューブ３３の先端側外周面が、接着剤３１ａによって先端部本体３１の先端の内周面に固定される。
【００３５】
次に、撮像モジュール１００について詳細に説明する。図３は、図２に示す撮像モジュールの斜視図である。図４は、図３に示す撮像モジュールの上面図である。図５は、図３に示す撮像モジュールの側面図である。図６は、図３に示す撮像モジュールの一部拡大斜視図である。図７は、図４に示す撮像モジュールのＡ−Ａ線断面図である。なお、図３〜７においては、レンズユニット３５の図示を省略している。実施の形態１にかかる撮像モジュール１００は、レンズユニット３５および撮像ユニット４０を有する撮像装置５０と、２本の同軸ケーブル４６−１、４６−２、および１本の単線ケーブル４７を備える。
【００３６】
固体撮像素子４１は、レンズユニット３５の対物レンズ３５ａ−１〜３５ａ−４によって結像された被写体像を受光して光電変換を行うことによって画像信号を生成する受光部４１ａと、受光部４１ａが生成した画像信号を伝搬する電極パッド（不図示）と、を有する。電極パッドは、受光部４１ａの下部に複数形成され、この電極パッドにＦＰＣ基板４３から延出する複数のインナーリード４３ａがそれぞれ接続されている。
【００３７】
回路基板４２の図示しない接続ランドには、固体撮像素子４１の駆動回路を構成する複数の電子部品５５〜５７が実装されている。
【００３８】
同軸ケーブル４６−１、４６−２は、導電性材料からなる芯線４６ａと、芯線４６ａの外周を被覆する内部絶縁体４６ｂと、内部絶縁体４６ｂの外周を被覆する導電性材料からなるシールド４６ｃと、シールド４６ｃの外周を被覆する外部絶縁体４６ｄと、を有する。同軸ケーブル４６−１、４６−２は、先端部で芯線４６ａ、内部絶縁体４６ｂ、およびシールド４６ｃが段階的に露出している。単線ケーブル４７は、導電性材料からなる芯線４７ａと、芯線４７ａの外周を被覆する絶縁体４７ｂと、を有し、先端部で芯線４７ａが露出している。単線ケーブル４７は、２本の同軸ケーブル４６−１、４６−２の間に配置されている。
【００３９】
回路基板４２の基端側には、電子部品５５〜５７が実装された基板面から落とし込ませた段差部４２ｃが設けられ、段差部４２ｃ上に形成された２つのシールド接続電極４２ｂに同軸ケーブル４６−１、４６−２の露出したシールド４６ｃがハンダ４９ｂおよびグランドバー４８により電気的および機械的に接続されている。実施の形態１ではシールド接続電極４２ｂは接続する同軸ケーブル４６−１、４６−２の本数に応じて２つ設けられているが、１つの大きなシールド接続電極としてもよい。グランドバー４８は、板状の金属部材である。また、段差部４２ｃの上部近傍には、第１の芯線接続電極４２ａ−１、第２の芯線接続電極４２ａ−２が形成され、単線ケーブル４７の露出した芯線４７ａ、同軸ケーブル４６−１、４６−２の露出した芯線４６ａがハンダ４９ａにより電気的および機械的にそれぞれ接続されている。ここで、段差部４２ｃの上部近傍とは、電子部品５５〜５７が実装された基板面のうち、段差部４２ｃに近傍の基板面を示している。もちろん、段差部４２ｃは、電子部品５５〜５７が実装されていない基板面に設けることも可能であるが、撮像モジュール１００を細径化するためには、電子部品５５〜５７が実装されている基板面に設けることが望ましい。第１の芯線接続電極４２ａ−１は、２つの第２の芯線接続電極４２ａ−２の間に配置され、同軸ケーブル４６−１、４６−２および単線ケーブル４７を平行に整列させた状態、すなわち芯線４６ａおよび４７ａが平行に整列した状態で接続可能な位置に形成されている。
【００４０】
ハンダ４９ｂおよびグランドバー４８は、図７に示すように、絶縁体４７ｂで被覆された単線ケーブル４７上、かつ、シールド接続電極４２ｂ上で、同軸ケーブル４６−１、４６−２のシールド４６ｃをシールド接続電極４２ｂに機械的および電気的に接続する。本実施の形態１では、単線ケーブル４７はハンダ４９ｂにより接続固定されていないが、ハンダ４９ｂの供給量を多くして、単線ケーブル４７をハンダ４９ｂにより接続固定してもよい。
【００４１】
本実施の形態１では、同軸ケーブル４６−１、４６−２のシールド４６ｃのハンダ４９ｂおよびグランドバー４８を介したシールド接続電極４２ｂへの接続を、絶縁体４７ｂで被覆された単線ケーブル４７上、かつ、シールド接続電極４２ｂ上で行う。これにより、単線ケーブル４７、および同軸ケーブル４６−１、４６−２に応力、特に煽り方向（図６で矢印で示す方向）の応力が加わった際に、ハンダ４９ｂおよびグランドバー４８が応力を吸収して、単線ケーブル４７の芯線４７ａと第１の芯線接続電極４２ａ−１との接続部に加わる応力を低減でき、芯線４７ａの断線や、第１の芯線接続電極４２ａ−１からの剥離を防止することができる。
【００４２】
次に、図を参照して、単線ケーブル４７、および同軸ケーブル４６−１、４６−２の回路基板４２への接続を説明する。図８は、ケーブル接続工程を説明するフローチャートである。
【００４３】
まず、グランドバー４８上に単線ケーブル４７、および同軸ケーブル４６−１、４６−２を、単線ケーブル４７が同軸ケーブル４６−１、４６−２の間となるように整列する（ステップＳ１）。グランドバー４８上に、絶縁体４７ｂで被覆された単線ケーブル４７、および同軸ケーブル４６−１、４６−２の露出したシールド４６ｃが位置するように整列させる。単線ケーブル４７、および同軸ケーブル４６−１、４６−２を整列した状態で、ハンダ４９ｂによりグランドバー４８に同軸ケーブル４６−１、４６−２のシールド４６ｃのみを接続する（ステップＳ２）。
【００４４】
同軸ケーブル４６−１、４６−２のシールド４６ｃをグランドバー４８に接続後、グランドバー４８上の単線ケーブル４７、および同軸ケーブル４６−１、４６−２の整列状態を治具等により保持した状態で、回路基板４２上に反転して載置し、同軸ケーブル４６−１、４６−２のシールド４６ｃをシールド接続電極４２ｂと位置合わせした後（ステップＳ３）、シールド４６ｃをハンダ３９ｂおよびグランドバー８を介してシールド接続電極４２ｂに電気的および機械的に接続する（ステップＳ４）。
【００４５】
シールド４６ｃをシールド接続電極４２ｂに接続後、単線ケーブル４７の芯線４７ａを第１の芯線接続電極４２ａ−１にハンダ４９ａを介して電気的および機械的に接続するとともに、同軸ケーブル４６−１、４６−２の芯線４６ａを２つの第２の芯線接続電極４２ａ−２にハンダ４９ａを介して電気的および機械的にそれぞれ接続する（ステップＳ５）。
【００４６】
一端、グランドバー４８上に単線ケーブル４７、および同軸ケーブル４６−１、４６−２を整列して、シールド４６ｃをグランドバー４８に接続することにより、同軸ケーブル４６−１、４６−２の芯線４６ａおよびシールド４７ｃ、ならびに単線ケーブル４７の芯線４７ａを、回路基板４２のシールド接続電極４２ｂ、第２の芯線接続電極４２ａ−１、および第１の芯線接続電極４２ａ−２に接続する際の治具による整列固定が容易となり、整列の際の位置精度が向上でき、単線ケーブル４７、および同軸ケーブル４６−１、４６−２の整列の間隔をより小さくできる。これにより、撮像モジュール１００の小型化も可能となる。
【００４７】
上記のように、実施の形態１にかかる撮像モジュール１００は、単線ケーブル４７を同軸ケーブル４６−１、４６−２の間に配置し、シールド４６ｃのハンダ４９ｂおよびグランドバー４８を介したシールド接続電極４２ｂへの接続を、絶縁体４７ｂで被覆された単線ケーブル４７上、かつ、シールド接続電極４２ｃ上で行うことにより、単線ケーブル４７の芯線４７ａと第１の芯線接続電極４２ａ−１との接続部に加わる応力を低減でき、芯線４７ａの断線や、第１の芯線接続電極４２ａ−１からの剥離を防止することができる。また、グランドバー４８を介して同軸ケーブル４６−１、４６−２のシールド４６ｃを仮固定した状態で単線ケーブル４７、および同軸ケーブル４６−１、４６−２を回路基板４２に接続するため、接続の位置精度を向上でき、撮像モジュール１００の小型化が可能となる。さらに、回路基板４２に段差部４２ｃを設けて、段差部４２ｃ上のシールド接続電極４２ｂにシールド４６ｃを接続し、段差部４２ｃの上部近傍の第２の芯線接続電極４６ａ−２に芯線４６ａを接続するため、芯線４６ａを折り曲げることなく接続でき、芯線４６ａの断線や、第２の芯線接続電極４２ａ−１からの剥離を防止することができる。
【００４８】
（実施の形態１の変形例１）
シールド４６ｃのシールド接続電極４２ｂへの接続は、グランドバー４８を使用することなく、ハンダ４９ｂのみで行ってもよい。図９は、本発明の実施の形態１の変形例１にかかる撮像モジュールの断面図である。
【００４９】
実施の形態１の変形例１にかかる撮像モジュール１００Ａでは、同軸ケーブル４６−１、４６−２のシールド４６ｃは、ハンダ４９ｂのみを介して１つのシールド接続電極４２ｂ’に電気的および機械的に接続されている。グランドバー４８を用いることなくシールド４６ｃをシールド接続電極４２ｂ’に接続する場合、ハンダ４９ｂを塗布したシールド接続電極４２ｂ’上に直接単線ケーブル４７、および同軸ケーブル４６−１、４６−２を治具等を用いて載置し、ハンダ４９ｂを溶融させて接続固定すればよい。
【００５０】
単線ケーブル４７は、同軸ケーブル４６−１、４６−２の間に配置され、シールド４６ｃのハンダ４９ｂを介したシールド接続電極４２ｂ’への接続は、絶縁体４７ｂで被覆された単線ケーブル４７上、かつ、シールド接続電極４２ｂ’上で行う。これにより、単線ケーブル４７の芯線４７ａと第１の芯線接続電極４２ａ−１との接続部に加わる応力を低減でき、芯線４７ａの断線や、第１の芯線接続電極４２ａ−１からの剥離を防止することができる。
【００５１】
また、変形例１では、シールド接続電極４２ｂが形成される段差部４２ｃ上での同軸ケーブル４６−１、４６−２の芯線４６ａの回路基板４２上（シールド接続電極４２ｂ上）からの高さｈ１と、単線ケーブル４７の芯線４７ａの回路基板４２上（シールド接続電極４２ｂ上）からの高さｈ２は略同一となるように、単線ケーブル４７はハンダ４９ｂにより接続固定されている。これにより、芯線４７ａの第１の芯線接続電極４２ａ−１への接続が容易になるとともに、芯線４７ａの断線や、第１の芯線接続電極４２ａ−１からの剥離をより効果的に防止できる。
【００５２】
（実施の形態１の変形例２）
実施の形態１の変形例２において、回路基板４２の基端側には段差部４２ｃが形成されていない。図１０は、本発明の実施の形態１の変形例２にかかる撮像モジュールの断面図である。
【００５３】
実施の形態１の変形例２にかかる撮像モジュール１００Ｂでは、同軸ケーブル４６−１、４６−２のシールド接続電極４２ｂ’からの距離（シールド４６ｃのシールド接続電極４２ｂ’からの距離）と、単線ケーブル４７のシールド接続電極４２ｂ’からの距離（絶縁体４７ｂのシールド接続電極４２ｂ’からの距離）とが略同一である。すなわち、単線ケーブル４７の芯線４７ａの回路基板４２上からの高さｈ２は、同軸ケーブル４６−１、４６−２の芯線４６ａの回路基板４２上（段差部４２ｃ上）からの高さｈ１より低い。変形例２では、段差部４２ｃが形成されていないため、同軸ケーブル４６−１、４６−２の芯線４６ａと単線ケーブル４７の芯線４７ａとを回路基板４２から同一高さとする必要がない。これにより、同軸ケーブル４６−１と４６−２との間隔を小さくでき、撮像モジュール１００Ｂを細径化することができる。
【００５４】
（実施の形態１の変形例３）
実施の形態１の変形例３において、撮像モジュールは、２本の同軸ケーブルと、２本の単線ケーブルとを備える。図１１は、本発明の実施の形態１の変形例３にかかる撮像モジュールの断面図である。
【００５５】
実施の形態１の変形例３にかかる撮像モジュール１００Ｃでは、回路基板４２に、２本の同軸ケーブル４６−１、４６−２と、２本の単線ケーブル４７−１、４７−２が接続されている。図１１に示すように、２本の単線ケーブル４７−１、４７−２は、２本の同軸ケーブル４６−１、４６−２の間に平行に配置されている。実施の形態１の変形例３では、図示を省略しているが、実施の形態１と同様に段差部４２ｃを有し、段差部４２ｃ上に形成されたシールド接続電極４２ｂ’に、同軸ケーブル４６−１、４６−２のシールド４６ｃがハンダ４９ｂおよびグランドバー４８を介して接続される。また、段差部４２ｃの上部近傍に形成された、２つの第１の芯線接続電極４２ａ−１に２本の単線ケーブル４７−１、４７−２の芯線４７ａが、２つの第２の芯線接続電極４２ａ−２に２本の同軸ケーブル４６−１、４６−２の芯線４６ａが、それぞれ接続されている。第１の芯線接続電極４２ａ−１と第２の芯線接続電極４２ａ−２の配置は、図１１の単線ケーブル４７−１、４７−２と同軸ケーブル４６−１、４６−２の配置と同様に、２つの第１の芯線接続電極４２ａ−１が第２の芯線接続電極４２ａ−２の間に位置するように配置されている。
【００５６】
単線ケーブル４７−１、４７−２は、同軸ケーブル４６−１、４６−２の間に配置され、シールド４６ｃのハンダ４９ｂを介したシールド接続電極４２ｂ’への接続は、絶縁体４７ｂで被覆された単線ケーブル４７上、かつ、シールド接続電極４２ｂ’上で行う。これにより、単線ケーブル４７−１、４７−２の芯線４７ａと第１の芯線接続電極４２ａ−１との接続部に加わる応力を低減でき、芯線４７ａの断線や、第１の芯線接続電極４２ａ−１からの剥離を防止することができる。
【００５７】
また、シールド接続電極４２ｂ’が形成される段差部４２ｃ上での同軸ケーブル４６−１、４６−２の芯線４６ａの回路基板４２上（シールド接続電極４２ｂ’上）からの高さｈ１と、単線ケーブル４７−１、４７−２の芯線４７ａの回路基板４２上（シールド接続電極４２ｂ’上）からの高さｈ２は略同一となるように、単線ケーブル４７−１、４７−２はハンダ４９ｂにより接続固定されている。これにより、芯線４７ａの第１の芯線接続電極４２ａ−１への接続が容易になるとともに、芯線４７ａの断線や、第１の芯線接続電極４２ａ−１からの剥離をより効果的に防止できる。
【００５８】
（実施の形態１の変形例４）
実施の形態１の変形例４において、撮像モジュールは、２本の同軸ケーブルと、２本の単線ケーブルとを備え、２本の単線ケーブルは上下に重ねて配置されている。図１２は、本発明の実施の形態１の変形例４にかかる撮像モジュールの断面図である。
【００５９】
実施の形態１の変形例４にかかる撮像モジュール１００Ｄでは、図１２に示すように、２本の単線ケーブル４７−１、４７−２は上下に重ねられ、２本の同軸ケーブル４６−１、４６−２の間に配置されている。実施の形態１の変形例４では、図示を省略しているが、実施の形態１と同様に段差部４２ｃを有し、段差部４２ｃ上に形成されたシールド接続電極４２ｂ’に、同軸ケーブル４６−１、４６−２のシールド４６ｃがハンダ４９ｂおよびグランドバー４８を介して接続される。また、段差部４２ｃの上部近傍に形成された、２つの第１の芯線接続電極４２ａ−１に２本の単線ケーブル４７−１、４７−２の芯線４７ａが、２つの第２の芯線接続電極４２ａ−２に２本の同軸ケーブル４６−１、４６−２の芯線４６ａが、それぞれ接続されている。第１の芯線接続電極４２ａ−１と第２の芯線接続電極４２ａ−２は、２つの第１の芯線接続電極４２ａ−１が第２の芯線接続電極４２ａ−２の間に位置するように配置されている。
【００６０】
単線ケーブル４７−１、４７−２は、同軸ケーブル４６−１、４６−２の間に上下に重ねて配置され、シールド４６ｃのハンダ４９ｂを介したシールド接続電極４２ｂ’への接続は、絶縁体４７ｂで被覆された単線ケーブル４７上、かつ、シールド接続電極４２ｂ’上で行う。これにより、単線ケーブル４７−１、４７−２の芯線４７ａと第１の芯線接続電極４２ａ−１との接続部に加わる応力を低減でき、芯線４７ａの断線や、第１の芯線接続電極４２ａ−１からの剥離を防止することができる。また、単線ケーブル４７−１、４７−２を上下に重ねて配置するため、同軸ケーブル４６−１と４６−２との間隔を小さくでき、撮像モジュール１００Ｄを細径化することができる。
【００６１】
（実施の形態１の変形例５）
実施の形態１の変形例５において、撮像モジュールは、３本の同軸ケーブルと、２本の単線ケーブルとを備える。図１３は、本発明の実施の形態１の変形例５にかかる撮像モジュールの断面図である。
【００６２】
実施の形態１の変形例５にかかる撮像モジュール１００Ｅでは、回路基板４２に、３本の同軸ケーブル４６−１、４６−２、４６−３と、２本の単線ケーブル４７−１、４７−２が接続されている。図１３に示すように、２本の単線ケーブル４７−１、４７−２は、３本の同軸ケーブル４６−１、４６−２、４６−３の間に交互に配置されている。実施の形態１の変形例５では、図示を省略しているが、実施の形態１と同様に段差部４２ｃを有し、段差部４２ｃ上に形成された３つのシールド接続電極４２ｂに、同軸ケーブル４６−１、４６−２、４６−３のシールド４６ｃがハンダ４９ｂおよびグランドバー４８を介して接続される。また、段差部４２ｃの上部近傍に形成された、２つの第１の芯線接続電極４２ａ−１に２本の単線ケーブル４７−１、４７−２の芯線４７ａが、３つの第２の芯線接続電極４２ａ−２に３本の同軸ケーブル４６−１、４６−２、４６−３の芯線４６ａが、それぞれ接続されている。第１の芯線接続電極４２ａ−１と第２の芯線接続電極４２ａ−２の配置は、図１３の単線ケーブル４７−１、４７−２と同軸ケーブル４６−１、４６−２、４６−３の配置と同様に、２つの第１の芯線接続電極４２ａ−１が３つの第２の芯線接続電極４２ａ−２の間に交互に位置するように配置されている。
【００６３】
単線ケーブル４７−１、４７−２は、同軸ケーブル４６−１、４６−２、４６−３の間に交互に配置され、シールド４６ｃのハンダ４９ｂおよびグランドバー４８を介したシールド接続電極４２ｂへの接続は、絶縁体４７ｂで被覆された単線ケーブル４７−１、４７−２上、かつ、シールド接続電極４２ｂ上で行う。これにより、単線ケーブル４７−１、４７−２の芯線４７ａと第１の芯線接続電極４２ａ−１との接続部に加わる応力を低減でき、芯線４７ａの断線や、第１の芯線接続電極４２ａ−１からの剥離を防止することができる。なお、本変形例５では、２本の単線ケーブル４７−１、４７−２を、３本の同軸ケーブル４６−１、４６−２、４６−３の間に交互に配置しているが、２本の単線ケーブル４７−１、４７−２が３本の同軸ケーブル４６−１、４６−２、４６−３のいずれか２本の間に配置されていればよい。
【００６４】
（実施の形態１の変形例６）
実施の形態１の変形例６において、グランドバーは板状の本体部と本体部から立ち上がる壁部を備える。図１４は、本発明の実施の形態１の変形例６にかかる撮像モジュールの断面図である。
【００６５】
実施の形態１の変形例６にかかる撮像モジュール１００Ｆでは、回路基板４２に、２本の同軸ケーブル４６−１、４６−２と、１本の単線ケーブル４７が接続されている。図１４に示すように、単線ケーブル４７の芯線４７ａの断線や、第１の芯線接続電極４２ａ−１からの剥離をハンダ４９ｂとともに防止するグランドバー４８Ｆは、板状の本体部４８ａと本体部４８ａから立ち上がる壁部４８ｂを備える。グランドバー４８Ｆ上に単線ケーブル４７、および同軸ケーブル４６−１、４６−２を整列する際、壁部４８ｂにより整列が容易となる。また、実施の形態１の変形例６では、実施の形態１と同様に段差部４２ｃを有し、段差部４２ｃ上に形成されたシールド接続電極４２ｂに、同軸ケーブル４６−１、４６−２のシールド４６ｃがハンダ４９ｂおよびグランドバー４８Ｆを介して接続され、段差部４２ｃの上部近傍に形成された、１つの第１の芯線接続電極４２ａ−１に単線ケーブル４７の芯線４７ａが、２つの第２の芯線接続電極４２ａ−２に２本の同軸ケーブル４６−１、４６−２の芯線４６ａが、それぞれ接続されている。
【００６６】
また、変形例６では、単線ケーブル４７は、同軸ケーブル４６−１、４６−２の間に配置され、シールド４６ｃのハンダ４９ｂおよびグランドバー４８Ｆを介したシールド接続電極４２ｂへの接続は、絶縁体４７ｂで被覆された単線ケーブル４７上、かつ、シールド接続電極４２ｂ上で行うため、単線ケーブル４７の芯線４７ａと第１の芯線接続電極４２ａ−１との接続部に加わる応力を低減でき、芯線４７ａの断線や、第１の芯線接続電極４２ａ−１からの剥離を防止することができる。
【００６７】
（実施の形態１の変形例７）
実施の形態１の変形例７において、撮像モジュールは、２本の同軸ケーブルと、２本の単線ケーブルとを備え、グランドバーは板状の本体部と本体部から立ち上がる壁部を有する。図１５は、本発明の実施の形態１の変形例７にかかる撮像モジュールの断面図である。
【００６８】
実施の形態１の変形例７にかかる撮像モジュール１００Ｇでは、回路基板４２に、２本の同軸ケーブル４６−１、４６−２と、２本の単線ケーブル４７−１、４７−２が交互に接続されている。図１５に示すように、グランドバー４８Ｇは、板状の本体部４８ａと本体部４８ａから立ち上がる壁部４８ｂを備える。壁部４８ｂは本体部４８ａの一辺にのみ設けられている。単線ケーブル４７−１は、同軸ケーブル４６−１、４６−２の間に配置され、単線ケーブル４７−２は、同軸ケーブル４６−２とグランドバー４８Ｇの壁部４８ｂとの間に配置されている。また、実施の形態１の変形例７では、実施の形態１と同様に段差部４２ｃを有し、段差部４２ｃ上に形成されたシールド接続電極４２ｂ’に、同軸ケーブル４６−１、４６−２のシールド４６ｃがハンダ４９ｂおよびグランドバー４８Ｇを介して接続され、段差部４２ｃの上部近傍に形成された、２つの第１の芯線接続電極４２ａ−１に２本の単線ケーブル４７−１、４７−２の芯線４７ａが、２つの第２の芯線接続電極４２ａ−２に２本の同軸ケーブル４６−１、４６−２の芯線４６ａが、それぞれ接続されている。第１の芯線接続電極４２ａ−１と第２の芯線接続電極４２ａ−２の配置は、図１５の単線ケーブル４７−１、４７−２と同軸ケーブル４６−１、４６−２と同様に、交互に配置されている。
【００６９】
変形例７では、単線ケーブル４７−１、４７−２は、同軸ケーブル４６−１、４６−２の間、または同軸ケーブル４７−２とグランドバー４８Ｇの壁部４８ｂの間に配置され、シールド４６ｃのハンダ４９ｂおよびグランドバー４８Ｇを介したシールド接続電極４２ｂ’への接続は、絶縁体４７ｂで被覆された単線ケーブル４７−１、４７−２上、かつ、シールド接続電極４２ｂ’上で行うため、単線ケーブル４７−１、４７−２の芯線４７ａと第１の芯線接続電極４２ａ−１との接続部に加わる応力を低減でき、芯線４７ａの断線や、第１の芯線接続電極４２ａ−１からの剥離を防止することができる。また、グランドバー４８Ｇ上に単線ケーブル４７−１、４７−２、および同軸ケーブル４６−１、４６−２を整列する際、壁部４８ｂにより整列が容易となる。
【００７０】
（実施の形態２）
実施の形態２では、ハンダによるシールドの接続は、シールド接続電極上に加え、シールド接続電極上より同軸ケーブルの基端側でも接続されている。図１６は、本発明の実施の形態２にかかる撮像モジュールの斜視図である。図１７は、本発明の実施の形態２にかかる撮像モジュールの側面図である。図１８は、本発明の実施の形態２にかかる撮像モジュールの一部拡大斜視図である。図１９は、図１８に示す撮像モジュールのＢ−Ｂ線断面図である。
【００７１】
実施の形態２にかかる撮像モジュール１４０において、１本の単線ケーブル４７と２本の同軸ケーブル４６−１、４６−２が、回路基板４２に接続されている。回路基板４２の段差部４２ｃ上に２つのシールド接続電極４２ｂが形成されており、このシールド接続電極４２ｂに、同軸ケーブル４６−１、４６−２のシールド４６ｃがハンダ４９ｂにより電気的および機械的にそれぞれ接続されている。実施の形態２では、シールド接続電極４２ｂとシールド４６ｃとを接続するハンダ４９ｂは、単線ケーブル４７上には存在せず、単線ケーブル４７を接続固定するものではないが、ハンダ４９ｂにより単線ケーブル４７を、絶縁体４７ｂを介して接続固定してもよい。
【００７２】
同軸ケーブル４６−１、４６−２は、芯線４６ａ、内部絶縁体４６ｂ、およびシールド４６ｃを段階的に露出しているが、露出したシールド４６ｃがシールド接続電極４２ｂにハンダ４９ｂにより接続される位置より基端側で、さらに外部絶縁体４６ｄが除去されてシールド４６ｃが露出している。実施の形態２では、このシールド４６ｃの露出部分をハンダ４９ｃにより接続している。ハンダ４９ｃは、シールド４６ｃを接続する際、同軸ケーブル４６−１、４６−２の間に配置される単線ケーブル４７も同時に接続固定する。これにより、単線ケーブル４７の芯線４７ａと第１の芯線接続電極４２ａ−１との接続部に加わる応力を低減でき、芯線４７ａの断線や、第１の芯線接続電極４２ａ−１からの剥離を防止することができる。なお、ハンダ４９ｃは、板状のものを使用でき、同軸ケーブル４６−１、４６−２のシールド４６ｃ露出部分および単線ケーブル４７の周囲を、ハンダ４９ｃにより周回させて整列させた後、ハンダ４９ｃを加熱溶融して、接着固定すればよい。
【００７３】
（付記１）
少なくとも１本の単線ケーブルと、少なくとも１本の同軸ケーブルとが、基板に設けられた電極にそれぞれ接続されたケーブル接続構造であって、前記単線ケーブルは、導電性材料からなる芯線と、前記芯線の外周を被覆する絶縁体と、を有し、先端部で前記芯線が露出して、前記基板の第１の芯線接続電極に接続されてなり、前記同軸ケーブルは、導電性材料からなる芯線と、前記芯線の外周を被覆する内部絶縁体と、前記内部絶縁体の外周を被覆する導電性材料からなるシールドと、前記シールドの外周を被覆する外部絶縁体と、を有し、先端部で前記芯線、前記内部絶縁体、および前記シールドが段階的に露出して、前記基板の第２の芯線接続電極およびシールド接続電極に、前記芯線および前記シールド線がそれぞれ接続されてなり、前記単線ケーブルは、前記同軸ケーブルと導電部材の間に位置するように配置されるとともに、前記同軸ケーブルの露出したシールドは前記導電部材により接続されてなり、前記導電部材は、前記絶縁体で被覆された前記単線ケーブル上、かつ、前記シールド接続電極上および／または前記シールド接続電極上より基端側で前記シールドを接続することを特徴とするケーブル接続構造。
【符号の説明】
【００７４】
１  内視鏡システム
２  内視鏡
３  ユニバーサルコード
３Ａ  先端部
３Ｂ  湾曲部
３Ｃ  可撓管部
４  操作部
４ａ  処置具挿入口
５  コネクタ部
６  プロセッサ
７  表示装置
８  光源装置
３０  挿入部
３１  先端部本体
３１ａ  接着剤
３２  被覆管
３３  熱収縮チューブ
３４  接着樹脂
３５  レンズユニット  
３５ａ−１〜３５ａ−４  対物レンズ
３５ｂ  レンズホルダ
３６  固体撮像素子ホルダ
３７  補強部材
４０  撮像ユニット
４１  固体撮像素子
４１ａ  受光部
４２  回路基板
４２ａ−１  第１の芯線接続電極
４２ａ−２  第２の芯線接続電極
４２ｂ、４２ｂ’  シールド接続電極
４２ｃ  段差部
４３  フレキシブルプリント基板
４４  ガラスリッド
４５  信号ケーブル
４６−１、４６−２、４６−３  同軸ケーブル
４６ａ、４７ａ  芯線
４６ｂ  内部絶縁体
４６ｃ  シールド
４６ｄ  外部絶縁体
４７、４７−１、４７−２  単線ケーブル
４７ｂ  絶縁体
４８、４８Ｆ、４８Ｇ  グランドバー
４８ａ  本体部
４８ｂ  壁部
４９ａ、４９ｂ、４９ｃ  ハンダ
５０  撮像装置
５５〜５７  電子部品
１００、１００Ａ、１００Ｂ、１００Ｃ、１００Ｄ、１００Ｅ、１００Ｆ、１００Ｇ、１４０  撮像モジュール
８１  湾曲管
８２  湾曲ワイヤ
【図１】
2017081720.tif 000003
【図２】
2017081720.tif 000004
【図３】
2017081720.tif 000005
【図４】
2017081720.tif 000006
【図５】
2017081720.tif 000007
【図６】
2017081720.tif 000008
【図７】
2017081720.tif 000009
【図８】
2017081720.tif 000010
【図９】
2017081720.tif 000011
【図１０】
2017081720.tif 000012
【図１１】
2017081720.tif 000013
【図１２】
2017081720.tif 000014
【図１３】
2017081720.tif 000015
【図１４】
2017081720.tif 000016
【図１５】
2017081720.tif 000017
【図１６】
2017081720.tif 000018
【図１７】
2017081720.tif 000019
【図１８】
2017081720.tif 000020
【図１９】
2017081720.tif 000021
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
少なくとも１本の単線ケーブルと、少なくとも２本の同軸ケーブルとが、基板に設けられた電極にそれぞれ接続されたケーブル接続構造であって、
前記単線ケーブルは、導電性材料からなる芯線と、前記芯線の外周を被覆する絶縁体と、を有し、先端部で前記芯線が露出して、前記基板の第１の芯線接続電極に接続されてなり、
前記同軸ケーブルは、導電性材料からなる芯線と、前記芯線の外周を被覆する内部絶縁体と、前記内部絶縁体の外周を被覆する導電性材料からなるシールドと、前記シールドの外周を被覆する外部絶縁体と、を有し、先端部で前記芯線、前記内部絶縁体、および前記シールドが段階的に露出して、前記基板の第２の芯線接続電極およびシールド接続電極に、前記芯線および前記シールドがそれぞれ接続されてなり、
前記単線ケーブルは、前記２本の同軸ケーブルの間に位置するように配置されるとともに、前記２本の同軸ケーブルの露出したシールドは導電部材により接続されてなり、
前記導電部材は、前記単線ケーブルを被覆する前記絶縁体の上面に接して配置され、かつ、前記導電部材は、前記シールド接続電極上および／または前記シールド接続電極上より基端側で前記シールドを接続することを特徴とするケーブル接続構造。
【請求項２】
前記基板は、前記単線ケーブルおよび前記同軸ケーブルが接続される側の基板面に段差部を有し、前記段差部に前記シールド接続電極が形成されるとともに、前記段差部の上部近傍の基板面に、前記第１の芯線接続電極および前記第２の芯線接続電極が形成されていることを特徴とする請求項１に記載のケーブル接続構造。
【請求項３】
前記導電部材は、前記シールドと前記シールド接続電極との接続に使用するハンダであることを特徴とする請求項１または２に記載のケーブル接続構造。
【請求項４】
前記導電部材は、前記シールドと前記シールド接続電極との接続に使用するハンダおよび板状の金属部材であることを特徴とする請求項１または２に記載のケーブル接続構造。
【請求項５】
前記導電部材は、前記絶縁体で被覆された前記単線ケーブル上、かつ、前記シールド接続電極上で、前記２本の同軸ケーブルのシールドを接続し、前記シールド接続電極が形成される段差部上での前記同軸ケーブルの芯線および前記単線ケーブルの芯線の前記基板上からの高さが略同一であることを特徴とする請求項２に記載のケーブル接続構造。
【請求項６】
請求項１〜５のいずれか一つに記載のケーブル接続構造と、
前記ケーブル接続構造の基板に形成された外部電極に接続され、外部から入射した光を電気信号に変換する撮像素子と、
光を集光し、集光した光を前記撮像素子に入射する光学系と、
を備えたことを特徴とする撮像モジュール。
【請求項７】
請求項６に記載の撮像モジュールと、
硬質部材によって形成された筒状をなす先端部を有し、被検体内に挿入可能な挿入部と、
を備えることを特徴とする内視鏡。
【国際調査報告】
2017081720.tif 000022
2017081720.tif 000023
2017081720.tif 000024
2017081720.tif 000025